(57)【要約】【課題】従来よりも寿命特性に優れた光処理装置、及びこの製造方法を実現する。【解決手段】  光処理装置は、筐体と、酸素を含む被処理ガスを前記筐体内に導入する吸気口と、筐体内に配置され、Ｘｅを含む放電用ガスが封入された石英ガラスからなる管体を含み、主たる発光波長が１７２ｎｍの第一光を射出するエキシマランプと、筐体内に導入された前記被処理ガスに対して、エキシマランプから射出された第一光が照射されることで生成された、オゾンを含む処理済ガスを放出する排気口と、を含み、管体内には、１ｐｐｍ以上の酸素が含有されている。【選択図】        図１
2018198175.tif 000002
【特許請求の範囲】
【請求項１】
筐体と、
酸素を含む被処理ガスを前記筐体内に導入する吸気口と、
前記筐体内に配置され、Ｘｅを含む放電用ガスが封入された、石英ガラスからなる管体を含み、主たる発光波長が１７２ｎｍの第一光を射出するエキシマランプと、
前記筐体内に導入された前記被処理ガスに対して、前記エキシマランプから射出された前記第一光が照射されることで生成された、オゾンを含む処理済ガスを放出する排気口と、を含み、
前記管体内には、１ｐｐｍ以上の酸素が含有されていることを特徴とする光処理装置。
【請求項２】
前記エキシマランプは、前記第一光に加えて、５００ｎｍ以上５５０ｎｍ以下の波長範囲の少なくとも一部分に強度を示す第二光を射出することを特徴とする請求項１に記載の光処理装置。
【請求項３】
前記エキシマランプから射出された前記第二光が入射可能な位置に配置されており、前記第二光によって励起可能な材料を含む光触媒体を備えたことを特徴とする請求項２に記載の光処理装置。
【請求項４】
前記筐体は、少なくとも一部分に、前記エキシマランプから射出された前記第二光を透過する領域を備えたことを特徴とする請求項２又は３に記載の光処理装置。
【請求項５】
請求項１〜４のいずれか１項に記載の光処理装置の製造方法であって、
前記管体内に、前記放電用ガスと、１ｐｐｍ以上の酸素ガスを封入する工程を有することを特徴とする光処理装置の製造方法。
【発明の詳細な説明】
【技術分野】
【０００１】
本発明は、光処理装置に関し、特にエキシマランプを含む装置に関する。また、本発明は、この光処理装置の製造方法に関する。
【背景技術】
【０００２】
光を用いた脱臭・殺菌する技術が近年開発されている。例えば、下記特許文献１には、エキシマランプの構成が開示されている。このエキシマランプは、紫外線を透過するシリカガラスよりなる管体（放電容器）と、この管体の外壁に設けられた電極を備える。管体内には、放電用ガスとしてのキセノン（Ｘｅ）ガスが封入されている。このエキシマランプによれば、波長２００ｎｍ以下、より詳細には波長１７２ｎｍの真空紫外光が照射される。
【０００３】
よって、例えば、この真空紫外光を、空気に照射させてオゾンを含むガスを生成することで、このオゾンを含むガスを用いた脱臭・殺菌の効果を得ることができる。
【先行技術文献】
【特許文献】
【０００４】
【特許文献１】特開２００７−３３５３５０号公報
【発明の概要】
【発明が解決しようとする課題】
【０００５】
しかし、本発明者らの鋭意研究によれば、このようなエキシマランプを発光させ続けると、所定の時間が経過した後に、管体が破損するという現象が確認された。
【０００６】
本発明は上記の課題に鑑み、従来よりも寿命特性に優れた光処理装置、及びこの製造方法を実現することを目的とする。
【課題を解決するための手段】
【０００７】
本発明に係る光処理装置は、
筐体と、
酸素を含む被処理ガスを前記筐体内に導入する吸気口と、
前記筐体内に配置され、Ｘｅを含む放電用ガスが充填された、石英ガラスからなる管体を含み、主たる発光波長が１７２ｎｍの第一光を射出するエキシマランプと、
前記筐体内に導入された前記被処理ガスに対して、前記エキシマランプから射出された前記第一光が照射されることで生成された、オゾンを含む処理済ガスを放出する排気口と、を含み、
前記管体内には、１ｐｐｍ以上の酸素が含有されていることを特徴とする。
【０００８】
上述したように、従来のエキシマランプを発光させ続けると、時間の経過と共に波長１７２ｎｍの光の照度が低下するという現象が確認された。本発明者らは、この原因につき以下のように考察している。波長１７２ｎｍの光が、エキシマランプの管体を構成する石英ガラスに照射されたことで、石英ガラスを構成するＳｉＯ2の一部の結合が切られ、当該箇所に欠陥が形成される。エキシマランプの発光状態が継続されると、管体を構成する石英ガラス内に生成される欠陥の量が増大し、やがて管体が破損したものと考えられる。
【０００９】
これに対し、上記の構成によれば、管体内に１ｐｐｍ以上の酸素が含有されているため、波長１７２ｎｍの光（第一光）の一部がこの酸素によって吸収される。この結果、管体を構成する石英ガラスに照射される第一光の強度が低下し、石英ガラスを構成するＳｉＯ2内における欠陥の生成速度が遅くなる。これにより、従来の構成と比較して、管体が破損するまでに要する時間を長くすることができるため、寿命が向上する。
【００１０】
なお、従来のエキシマランプにおいては、管体には放電用ガス以外の不純物を極力排除するように設計されており、酸素の含有濃度は高々１００ｐｐｂ以下である。
【００１１】
なお、管体の寿命を向上しつつも、第一光の強度を十分維持するためには、管体に含有される酸素の濃度は、１ｐｐｍ以上であって、０．２５％（２５００ｐｐｍ）以下とするのが好ましく、０．２％（２０００ｐｐｍ）以下とするのがより好ましく、０．１％（１０００ｐｐｍ）以下とするのが更により好ましい。酸素の濃度を０．２５％（２５００ｐｐｍ）より高くすると、酸素を全く含まない状態と比較して、被処理ガスに対して照射される第一光の強度が５０％程度にまで低下してしまい、オゾンの生成速度が著しく低下してしまうためである。なお、初期時において発光するまでに要する時間を短縮化するという観点からは、酸素濃度を１０００ｐｐｍ以下とするのが好ましい。
【００１２】
なお、本明細書では、管体に含有される酸素の濃度の単位として％やｐｐｍを用いているが、これは「管体内の全圧に占める、酸素の分圧の割合」を表すものである。例えば、「管体に含有される酸素の濃度が１ｐｐｍ以上」とは、「管体に含有される全気体の圧力（管体内の全圧）に占める、酸素の分圧の割合が１ｐｐｍ以上（０．０００１％）以上」であることを示す。 以下、酸素の濃度に関して、特に断りがない限りは、上記の通り「管体に含有される全気体の圧力に占める、酸素の分圧の割合」を示すものとして扱う。
【００１３】
前記エキシマランプは、前記第一光に加えて、５００ｎｍ以上５５０ｎｍ以下の波長範囲の少なくとも一部分に強度を示す第二光を射出するものとしても構わない。
【００１４】
上述したように、管体には酸素が含まれている。この酸素は、放電用ガスとして封入されているＸｅの一部と反応して、ＸｅＯを生成する場合がある。このＸｅＯが生成されると、５００ｎｍ以上５５０ｎｍ以下の波長範囲の少なくとも一部に強度を示す光（第二光）が生成される。
【００１５】
なお、この第二光は、第一光よりも長波長側に位置しており、石英ガラスの分子結合を切るほどのエネルギーを有していない。また、石英ガラス内に欠陥が生成されていた場合であっても、この第二光は、当該欠陥において全く又はほとんど吸収されない。更に、この第二光は、管体に含まれる酸素によっても全く又はほとんど吸収されない。このため、エキシマランプから射出される第二光の強度は、第一光に比べて、時間の経過と共に低下することがないか、又は、低下する速度は極めて遅い。
【００１６】
前記光処理装置は、前記エキシマランプから射出された前記第二光が入射可能な位置に配置されており、前記第二光によって励起可能な材料を含む光触媒体を備えるものとしても構わない。
【００１７】
上記構成によれば、エキシマランプから射出された第二光によって励起可能な材料からなる光触媒体を備えているため、光触媒体に第二光が照射されることで光触媒作用が発揮される。これにより、高い脱臭・殺菌能力を担保しながらも、寿命特性に優れた光処理装置が実現される。
【００１８】
このような第二光によって励起可能な光触媒体の材料としては、例えば塩化鉄（ＦｅＣｌ3）等の金属塩からなる増感剤を担持させた二酸化チタン（ＴｉＯ2）を利用することができる。
【００１９】
前記筐体は、少なくとも一部分に、前記エキシマランプから射出された前記第二光を透過する領域を備えるものとしても構わない。
【００２０】
上記構成によれば、光処理装置を稼働中に、第二光が筐体の前記領域を通じて装置外に取り出される。第二光は、５００ｎｍ以上５５０ｎｍ以下の波長範囲の少なくとも一部分に強度を示し、この波長域は、可視光の領域、より詳細には緑色の領域に属する。このため、関係者は、緑色の発光を確認することで、光処理装置が駆動状態であることを認識できる。オゾンを含むガスは、人体に有毒であるため、この緑色の発光が、光処理装置が設置されている空間とは隔離された別の空間から確認されることで、処理中に、対象空間内に関係者が入室しないように注意喚起する効果が得られる。
【００２１】
本発明は、上記構成を有する光処理装置の製造方法であって、
前記管体内に、前記放電用ガスと、１ｐｐｍ以上の酸素ガスを封入する工程を有することを特徴とする。
【００２２】
上述したように、従来のエキシマランプは、目的とする光（ここでは「第一光」に対応する。）の強度を最大限高める観点から、管体内には放電用ガス以外のガスを極力排除して製造されていた。しかし、上記の方法は、従来の製造方法とは異なり、意図的に酸素ガスを封入することで、管体の寿命特性を向上させている。
【発明の効果】
【００２３】
本発明によれば、従来と比較して、寿命特性に優れた光処理装置が実現される。
【図面の簡単な説明】
【００２４】
【図１】本発明の光処理装置の第一実施形態の構成を模式的に示す図面である。
【図２】Ｘｅエキシマ光のスペクトルを模式的に示す図面である。
【図３】管体に含ませる酸素の濃度を変化させたときの光処理装置の寿命時間を比較した表である。
【図４】管体内に封入する酸素の濃度と、第一光の強度との関係を示すグラフである。
【図５】本発明の光処理装置の第二実施形態の構成を模式的に示す図面である。
【図６】管体から発せられる光のスペクトルを、管体内に酸素が１ｐｐｍ以上存在している場合と、酸素が導入されていない場合とで比較した図面である。
【図７】管体内に封入される酸素の濃度と、第二光の強度との関係を示すグラフである。
【図８】本発明の光処理装置の第二実施形態の構成を模式的に示す図面である。
【図９】第二実施形態の光処理装置を用いて処理をする方法の一実施例を説明するための模式的な図面である。
【図１０】本発明の光処理装置の別実施形態の構成を模式的に示す図面である。
【発明を実施するための形態】
【００２５】
＜第一実施形態＞
本発明の光処理装置の第一実施形態につき、図面を参照して説明する。なお、各図において、図面の寸法比と実際の寸法比とは必ずしも一致していない。第二実施形態以後においても同様である。
【００２６】
［構成］
図１は、本実施形態に係る光処理装置の構成を模式的に示す図面である。図１に示すように、本実施形態に係る光処理装置１は、オゾン発生装置１０を備える。
【００２７】
オゾン発生装置１０は、発光管２を備えている。発光管２は、石英ガラスからなる管体２１を備える。オゾン発生装置１０は、管体２１の外部に配置される外部電極３と、管体２１の内部に配置される内部電極４とを備える。
【００２８】
オゾン発生装置１０は、管体２１及び各電極（３，４）を収容する筐体５を備える。オゾン発生装置１０は、吸気口６と排気口８とを備える。吸気口６は、少なくとも酸素を含む被処理ガスＧ１を筐体５の内部に導入する。被処理ガスＧ１に対して発光管２から射出された光が照射されることで、オゾンを含む処理済ガスＧ２が生成される。排気口８は、この処理済ガスＧ２を筐体５の外部に放出する。本実施形態では、吸気口６にはファン６１が設けられている。例えば、ファン６１の回転数が制御されることで、吸気口６から吸気される被処理ガスＧ１の流量が調整可能に構成されている。本実施形態において、被処理ガスＧ１は、例えば空気である。
【００２９】
オゾン発生装置１０は、外部電極３と内部電極４との間に電圧（例えば、交流の高電圧）を印加するための電源７を備える。
【００３０】
発光管２は、両端に、管体２１の内部を気密にする第一封止部２２及び第二封止部２３を備える。管体２１には、放電用ガスと微量の酸素が封入されている。この放電用ガスは、キセノン（Ｘｅ）を含んで構成されている。放電用ガスのより詳細な一例としては、ＸｅとＮｅを所定の比率（例えば３：７）で混在させたガスで構成される。管体２１に含有される酸素の量は、１ｐｐｍ以上であり、より詳細には１ｐｐｍ以上２５００ｐｐｍ以下である。酸素の量は、好ましくは、１０ｐｐｍ以上２０００ｐｐｍ以下であり、より好ましくは、１００ｐｐｍ以上１０００ｐｐｍ以下である。
【００３１】
発光管２は、第一封止部２２に埋設される金属箔２４と、第一封止部２２に一部が埋設される外部リード２５とを備える。金属箔２４は、内部電極４及び外部リード２５に連結されている。これによって、内部電極４、金属箔２４、及び外部リード２５は、相互に電気的に接続されている。
【００３２】
本実施形態において、外部電極３は筒状に形成されており、管体２１は外部電極３の内部に挿入されている。外部電極３は、管体２１の内部から放射された光を、通過又は透過させる光路部３１を備えている。本実施形態においては、光路部３１は貫通孔で構成されている。
【００３３】
例えば、外部電極３は、板状の部材に複数の貫通孔を有するように形成されていてもよく、複数の棒状の部材を格子状や網目状に配置して形成されていてもよく、棒状の部材を螺旋状に配置して形成されていてもよい。光路部３１は、透光性を有する部材で構成されていてもよい。
【００３４】
本実施形態において、内部電極４は、棒状に形成され、管体２１の内部に配置されている。内部電極４の端部が、それぞれ発光管２の封止部（２２，２３）に埋設されているため、内部電極４は発光管２に固定されている。
【００３５】
このような光処理装置１は、内部電極４が設けられた管体２１を準備し、Ｘｅを含む放電用ガスと共に、１ｐｐｍ以上の酸素濃度となるように管体２１内に酸素ガスを封入することで製造することができる。上記ガスを封入した後は、管体２１の外側に外部電極３が配置され、管体２１が筐体５内に取り付けられる。
【００３６】
［作用］
以下、光処理装置１の作用を説明する。
【００３７】
電源７によって、外部電極３と内部電極４との間に電圧が印加される。上述したように、管体２１は石英ガラスで構成されており、これは誘電体である。誘電体からなる管体２１内には放電プラズマが発生し、このプラズマにより、管体２１内に封入された放電用ガスが励起される。具体的には、Ｘｅ原子が励起され、エキシマ励起分子Ｘｅ2*が生成される。この励起分子Ｘｅ2*が基底状態に戻るときにエキシマ発光Ｌ１を発生する。図２に、Ｘｅエキシマ光のスペクトルを模式的に示す。図２に示すように、Ｘｅエキシマ光は、１７２ｎｍにピークを有するスペクトルを示す。本実施形態では、Ｘｅエキシマ光が「第一光」に対応する。
【００３８】
吸気口６から被処理ガスＧ１が筐体５の内部に導入されると、この被処理ガスＧ１に対し、管体２１の内部から放射され且つ光路部３１を通過した第一光Ｌ１が照射される。主たる発光波長が１７２ｎｍである第一光Ｌ１は、被処理ガスＧ１に含まれる酸素分子の結合を切り、オゾンを生成する。すなわち、被処理ガスＧ１は、オゾンを含む処理済ガスＧ２に変換される。この処理済ガスＧ２は、排気口８から排気される。これにより、オゾンを含む処理済ガスＧ２が排出された空間内が、オゾンによって脱臭・殺菌される。
【００３９】
図１に示す光処理装置１において、管体２１内に含有させる酸素の濃度を異ならせて、連続して光処理装置１を稼働させ、管体２１が破損するまでに要した時間を測定した。図３は、この結果を比較した表である。図３に示すように、比較例１〜２は酸素濃度が０．１ｐｐｍ以下であり、実施例１〜１０は酸素濃度が１ｐｐｍ以上である。図３によれば、各実施例は、比較例と比べて、管体２１が破損するのにかかる時間が伸び、寿命特性が向上していることが分かる。また、図３の各実施例を比べると、管体２１内に含有させた酸素の濃度を高めるほど、寿命が伸びていることが分かる。図３の結果によれば、管体２１に含有させる酸素の濃度を１ｐｐｍとした場合であっても、酸素を全く含ませない場合と比較して寿命が向上することが確認される。
【００４０】
図４は、管体２１内に封入する酸素の濃度と、第一光の強度との関係を示すグラフである。図４によれば、管体２１内に封入する酸素の濃度を高めるほど、第一光Ｌ１の強度が低下する傾向にあることが分かる。図３及び図４に鑑みれば、第一光Ｌ１の強度の低下をできるだけ抑制しながら、寿命特性を向上するためには、管体２１内に封入する酸素の濃度は、１ｐｐｍ以上であって、０．２５％（２５００ｐｐｍ）以下とするのが好ましく、０．２％（２０００ｐｐｍ）以下とするのがより好ましく、０．１％（１０００ｐｐｍ）以下とするのが更により好ましいことが確認される。
【００４１】
管体２１に酸素を封入したことで、第一光Ｌ１の強度が少し低下し、これに伴って、管体２１を構成する石英ガラス内における欠陥の生成速度が遅くなる。これにより、管体２１に酸素を全く含まない従来の構成よりも、寿命が向上したものと推察される。
【００４２】
＜第二実施形態＞
本発明の光処理装置の第二実施形態につき、図面を参照して説明する。以下の各実施形態において、第一実施形態と共通する箇所は、同一の符号を付して説明を適宜割愛する。
【００４３】
図５は、本発明の光処理装置の第二実施形態の構成を模式的に示す図面である。図５に示す光処理装置１は、オゾン発生装置１０を含む。オゾン発生装置１０は、発光管２を含む。本実施形態において、発光管２は、１７２ｎｍにピークを有する第一光Ｌ１に加えて、５００ｎｍ以上５５０ｎｍ以下の波長範囲に高い強度を示す第二光Ｌ２を発する構成である。また、図５に示すオゾン発生装置１０において、筐体５は、この第二光Ｌ２を通過又は透過可能に構成されている。例えば、筐体５は、第二光Ｌ２に対して透過性を有する材料で構成されていても構わないし、第二光Ｌ２を透過する窓部を有していても構わない。
【００４４】
本実施形態においても、発光管２の管体２１には、Ｘｅを含む放電用ガスと微量の酸素が封入されている。このとき、管体２１内に封入されているガスの一部が結合してＸｅＯを生成し、管体２１内に存在することがある。ＸｅＯが放電すると、５００ｎｍ以上５５０ｎｍ以下の波長範囲の少なくとも一部に強度を示す光（緑色帯の光）、すなわち上記第二光Ｌ２が生成される。
【００４５】
図６は、管体２１から発せられる光のスペクトルを、管体２１内に酸素が１ｐｐｍ以上存在している場合と、酸素を導入していない場合とで比較した図面である。図６によれば、管体２１内に１ｐｐｍ以上の酸素を含有させた場合には、管体２１内に酸素が存在しない場合と比較して、５００ｎｍ以上５５０ｎｍ以下の波長範囲の光の強度が上昇していることが確認される。
【００４６】
図７は、管体２１内に封入する酸素の濃度と、第二光Ｌ２の強度との関係を示すグラフである。図７によれば、管体２１内に封入する酸素の濃度を高めるほど、第二光Ｌ２の強度が上昇する傾向にあることが分かる。
【００４７】
上述したように、本実施形態において、筐体５は、第二光Ｌ２を外部に透過することができるように構成されている。ここで、第二光Ｌ２は、可視域の波長を含む光である。よって、本実施形態の構成とすることで、オゾン発生装置１０の稼働中において、外部より第二光Ｌ２を視認できる。
【００４８】
オゾンは一般的に人体に有害であるため、オゾン発生装置１０が稼働している間、脱臭・殺菌の対象空間である、オゾンを含む処理済ガスＧ２が排出される空間と同一空間内に人間が存在していることは好ましくない。しかし、オゾン発生装置１０の稼働が停止したと思い込み、又は、そもそもオゾン発生装置１０が稼働していることを知らずに、前記対象空間に人間が入室してしまう可能性は否定できない。本実施形態の構成によれば、例えば対象空間の外側から緑色光が確認されることで、オゾン発生装置１０が稼働中であることの認識が可能であるため、誤ってオゾン発生装置１０の稼働中に対象空間内に人間が入室するリスクを未然に抑制する効果が得られる。
【００４９】
＜第三実施形態＞
本発明の光処理装置の第二実施形態につき、図面を参照して説明する。以下の各実施形態において、第一実施形態と共通する箇所は、同一の符号を付して説明を適宜割愛する。
【００５０】
図８は、本発明の光処理装置の第三実施形態の構成を模式的に示す図面である。図８に示す光処理装置１は、オゾン発生装置１０と、光触媒体２０とを備える。第二実施形態と同様、発光管２は、１７２ｎｍにピークを有する第一光Ｌ１に加えて、５００ｎｍ以上５５０ｎｍ以下の波長範囲に高い強度を示す第二光Ｌ２を発する構成である。また、第二実施形態と同様、筐体５は、この第二光Ｌ２を通過又は透過可能に構成されている。
【００５１】
光触媒体２０は、５００ｎｍ以上５５０ｎｍ以下の波長範囲の少なくとも一部分に強度を示す光が入射されると、励起され、光触媒作用を示す材料で構成される。光触媒体２０は、例えば、塩化鉄（ＦｅＣｌ3）等の金属塩からなる増感剤を担持させた二酸化チタン（ＴｉＯ2）を含む材料で構成される。光触媒体２０は、発光管２から放射される第二光Ｌ２が入射可能な位置に配置されている。
【００５２】
本実施形態によれば、オゾン発生装置１０の稼働中に発生する第二光Ｌ２が、光触媒体２０に入射され、光触媒体２０の構成材料が励起することで光触媒作用が実現される。すなわち、光触媒体２０による光触媒作用によって、周囲に対する脱臭・殺菌処理が実現される。従って、オゾンを含む処理済ガスＧ２による脱臭・殺菌処理効果を、光触媒作用によって補強・補完することができる。
【００５３】
図９は、本実施形態の光処理装置１を用いて処理をする方法の一実施例を説明するための模式的な図面である。図９において、オゾン発生装置１０は、第一空間７１内に設置されており、光触媒体２０は第二空間７２内に設置されている。第一空間７１と第二空間７２とは隣接しており、境界部７３によって相互に遮蔽されている。ただし、境界部７３の少なくとも一部には、光透過窓７４が設けられている。光透過窓７４は、第二光Ｌ２を透過可能な材料で構成されている。
【００５４】
このような構成によれば、対象空間のうち、第一空間７１に対しては、オゾン発生装置１０から放出されるオゾンを含む処理済ガスＧ２によって、脱臭・殺菌処理が実現される。また、対象空間のうち、第二空間７２に対しては、オゾン発生装置１０に含まれる発光管２から放射される第二光Ｌ２が光触媒体２０に照射されることで、光触媒体２０による光触媒作用によって、脱臭・殺菌処理が実現される。
【００５５】
［別実施形態］
以下、別実施形態について説明する。
【００５６】
〈１〉  上述した実施形態では、オゾン発生装置１０において、発光管２が一重構造の管体２１を備えた構成であるものとして説明したが、これはあくまで一例である。例えば、図１０に示すように、発光管２は、誘電体である外管２６ａ及び誘電体である内管２６ｂを有する二重構造である二重管体２６を備えた構成であっても構わない。図１０は、別実施形態におけるオゾン発生装置１０の構造を模式的に示す図面である。
【００５７】
図１０に示されるオゾン発生装置１０においては、発光管２は、誘電体である外管２６ａ及び誘電体である内管２６ｂを有する二重管体２６と、外管２６ａ及び内管２６ｂ間を気密にするための環状の封止端部２７とを備えている。そして、外管２６ａ及び内管２６ｂ間には、上述した放電用ガス及び微量の酸素が封入されている。
【００５８】
内部電極４は、筒状に形成されている。そして、内部電極４は、二重管体２６（内管２６ｂ）の内部に配置されているため、外部電極３との間に二重管体２６（外管２６ａ及び内管２６ｂ）を配置している。なお、内部電極４は、二重管体２６（内管２６ｂ）と接するようにして、発光管２に固定されている。この構成の場合、内管２６ｂの内側にも被処理ガスＧ１が流通し、発光管２から放射される第一光Ｌ１が照射されて、オゾンを含む処理済ガスＧ２が生成されるものとしても構わない。
【００５９】
〈２〉  上記実施形態に係るオゾン発生装置１０においては、吸気口６はファン６１を備える構成とした。しかし、例えば、ファン６１は、排気口８側に設けられていても構わないし、吸気口６及び排気口８の両者に設けられていても構わない。
【００６０】
〈３〉  第三実施形態のオゾン発生装置１０内において、筐体５の内側面側に光触媒体２０が設置されるものとしても構わない。これにより、被処理ガスＧ１に対して光触媒作用が施されるため、純度の高いオゾンを含む処理済ガスＧ２が生成される。このとき、光触媒体２０をオゾン発生装置１０の外側には配置しない構成とすることもできる。この場合、筐体５は第二光Ｌ２を透過しないように構成されていても構わない。
【符号の説明】
【００６１】
１      ：    光処理装置
３      ：    外部電極
４      ：    内部電極
５      ：    筐体
６      ：    吸気口
７      ：    電源
８      ：    排気口
１０      ：    オゾン発生装置
２０      ：    光触媒体
２１      ：    管体
２２      ：    第一封止部
２３      ：    第二封止部
２４      ：    金属箔
２５      ：    外部リード
２６      ：    二重管体
２６ａ    ：    外管
２６ｂ    ：    内管
２７      ：    封止端部
３１      ：    光路部
６１      ：    ファン
７１      ：    第一空間
７２      ：    第二空間
７３      ：    境界部
７４      ：    光透過窓
Ｇ１      ：    被処理ガス
Ｇ２      ：    処理済ガス
Ｌ１      ：    第一光
Ｌ２      ：    第二光
【図１】
2018198175.tif 000003
【図２】
2018198175.tif 000004
【図３】
2018198175.tif 000005
【図４】
2018198175.tif 000006
【図５】
2018198175.tif 000007
【図６】
2018198175.tif 000008
【図７】
2018198175.tif 000009
【図８】
2018198175.tif 000010
【図９】
2018198175.tif 000011
【図１０】
2018198175.tif 000012